(57)【要約】      （修正有）【課題】遊技に使用されるメダルよりも大径のメダルが投入された場合に、当該大径のメダルを容易に取り出すことができる遊技機を提供する。【解決手段】遊技機は、φ２５のメダルを投入するためのメダル投入口部４１と、このメダル投入口部４１へのφ２５のメダルの投入を補助する壁部４２と、を備え、φ２５のメダルを使用して遊技を行うことが可能となっている。また、メダル投入口部４１の開口幅は、φ３０のメダルの直径よりも短く形成されており、壁部４２は、φ３０のメダルがメダル投入口部４１に掛かった状態において、壁部４２の上端がφ３０のメダルの上端よりも下方、かつφ３０のメダルの上下方向における中心よりも上方に位置するように形成されており、メダル投入口部４１は、前記状態におけるφ３０のメダルの前面の所定の２箇所が少なくとも当接し得るように形成されている。【選択図】図１０
2020130954.tif 000002
【特許請求の範囲】
【請求項１】
φ２５のメダルを投入するためのメダル投入口部と、このメダル投入口部へのφ２５のメダルの投入を補助する壁部と、を備え、
φ２５のメダルを使用して遊技を行うことが可能な遊技機であって、
前記メダル投入口部の開口幅は、φ３０のメダルの直径よりも短く形成されており、
前記壁部は、φ３０のメダルが前記メダル投入口部に掛かった状態において、前記壁部の上端が当該φ３０のメダルの上端よりも下方、かつ当該φ３０のメダルの上下方向における中心よりも上方に位置するように形成されており、
前記状態におけるφ３０のメダルの前記壁部側を向く面に遊技者が触れることを可能にしており、
前記メダル投入口部は、前記状態におけるφ３０のメダルの、前記面とは逆側の面における上下方向に交差する方向に離間した所定の２箇所が少なくとも当接し得るように形成されていることを特徴とする遊技機。
【請求項２】
φ２５のメダルを投入するためのメダル投入口部と、このメダル投入口部へのφ２５のメダルの投入を補助する壁部と、を備え、
φ２５のメダルを使用して遊技を行うことが可能な遊技機であって、
前記メダル投入口部の開口幅は、φ３０のメダルの直径よりも短く形成されており、
前記壁部は、φ３０のメダルが前記メダル投入口部に掛かった状態において、前記壁部の上端の上下方向における位置が、当該φ３０のメダルの上下方向における中心部の位置となるように形成されており、
前記状態におけるφ３０のメダルの前記壁部側を向く面に遊技者が触れることを可能にしており、
前記メダル投入口部は、前記状態におけるφ３０のメダルの、前記面とは逆側の面における上下方向に交差する方向に離間した所定の２箇所が少なくとも当接し得るように形成されていることを特徴とする遊技機。
【発明の詳細な説明】
【技術分野】
【０００１】
本発明は、遊技機に関する。
【背景技術】
【０００２】
従来から遊技機として、外周面に複数の図柄が配列されたリールを複数備えたスロットマシンが知られている。スロットマシンでは、遊技媒体としてのメダルを投入することで遊技開始可能な状態となり、遊技者によるスタートレバーやストップボタンへの操作に基づいて遊技が行なわれる。
【０００３】
スロットマシンにおいては、機種に応じて使用できるメダルのサイズが規定されており、異なるサイズのメダルでは遊技を行うことができないようになっている。具体的には、例えば、スロットマシンの内部には、メダルを選別するためのセレクタが備えられており、規定されたサイズ以外のメダルがメダル投入口から投入された場合、セレクタにおいてメダルが弾かれるようになっている。
【０００４】
また、スロットマシンに使用されるメダルは、φ２５（直径約２５ｍｍ）のメダルとφ３０（直径約３０ｍｍ）のメダルとの２種類が一般に知られており、各スロットマシンは基本的にいずれか一方のメダルを使用して遊技を行うことができるようになっている（例えば、特許文献１参照）。
【先行技術文献】
【特許文献】
【０００５】
【特許文献１】特開２０１４−１０４０２２号公報
【発明の概要】
【発明が解決しようとする課題】
【０００６】
ところで、既定のサイズよりも大きい物体（大径のメダルや硬貨等）が投入口から投入された場合、当該物体がうまく流れず、スロットマシン内部や、投入口において引っ掛かってしまうおそれがある。とりわけ、既定のサイズのメダルよりも大径のメダルであって、他の遊技機において使用されるメダルについては、誤ってあるいは悪意で投入される可能性が高く、例えば、φ２５のメダルで遊技を行う遊技機に対してφ３０のメダルが投入された場合に、投入されたメダルが遊技機の所定部位に引っ掛かり取り出すことが困難となる構造になっていると、遊技が阻害されたり思わぬトラブルを招いたりするおそれがある。
【０００７】
本発明は、前記事情に鑑みてなされたもので、遊技に使用されるメダルよりも大径のメダルが投入された場合に、当該大径のメダルを容易に取り出すことができる遊技機を提供することを目的とする。
【課題を解決するための手段】
【０００８】
前記目的を達成するために、本発明の遊技機は、φ２５のメダルを投入するためのメダル投入口部と、このメダル投入口部へのφ２５のメダルの投入を補助する壁部と、を備え、
φ２５のメダルを使用して遊技を行うことが可能な遊技機であって、
前記メダル投入口部の開口幅は、φ３０のメダルの直径よりも短く形成されており、
前記壁部は、φ３０のメダルが前記メダル投入口部に掛かった状態において、前記壁部の上端が当該φ３０のメダルの上端よりも下方、かつ当該φ３０のメダルの上下方向における中心よりも上方に位置するように形成されており、
前記状態におけるφ３０のメダルの前記壁部側を向く面に遊技者が触れることを可能にしており、
前記メダル投入口部は、前記状態におけるφ３０のメダルの、前記面とは逆側の面における上下方向に交差する方向に離間した所定の２箇所が少なくとも当接し得るように形成されていることを特徴とする。
【０００９】
このような構成によれば、φ２５のメダルで遊技を行う遊技機に対し、φ３０のメダルが誤ってまたは故意に投入された場合に、当該φ３０のメダルは、メダル投入口部に引っ掛かる。また、このとき、φ３０のメダルの後面に遊技者が触れることが可能な状態となるので、遊技者がメダルの前面と後面とに触れてメダルをつまむことが可能となり、当該φ３０のメダルを容易に取り出すことができる。また、壁部の上端が、φ３０のメダルの上下方向における中心よりも上方に位置するように形成されていることにより、当該φ３０のメダルが後方に傾きそうになった場合に、当該φ３０のメダルの上下方向中心よりも上方が壁部によって支えられるため、当該φ３０のメダルが後方に倒れることが防がれ、当該φ３０のメダルが安定的に支えられる。したがって、メダル投入口部に掛かったφ３０のメダルの姿勢が安定するため、φ３０のメダルを容易に取り出すことができる。
【００１０】
また、本発明の遊技機は、φ２５のメダルを投入するためのメダル投入口部と、このメダル投入口部へのφ２５のメダルの投入を補助する壁部と、を備え、
φ２５のメダルを使用して遊技を行うことが可能な遊技機であって、
前記メダル投入口部の開口幅は、φ３０のメダルの直径よりも短く形成されており、
前記壁部は、φ３０のメダルが前記メダル投入口部に掛かった状態において、前記壁部の上端の上下方向における位置が、当該φ３０のメダルの上下方向における中心部の位置となるように形成されており、
前記状態におけるφ３０のメダルの前記壁部側を向く面に遊技者が触れることを可能にしており、
前記メダル投入口部は、前記状態におけるφ３０のメダルの、前記面とは逆側の面における上下方向に交差する方向に離間した所定の２箇所が少なくとも当接し得るように形成されていることを特徴とする。
【００１１】
このような構成によれば、メダル投入口部に引っ掛かったφ３０のメダルの後面に遊技者が触れることが可能となるので、当該φ３０のメダルをつまむことが可能となり、当該φ３０のメダルを容易に取り出すことができる。また、壁部の上端の上下方向における位置が、φ３０のメダルの上下方向における中心部の位置となるように形成されていることにより、前記構成同様、当該φ３０のメダルが後方に傾きそうになった場合に、当該φ３０のメダルの上下方向中心付近が壁部によって支えられるため、当該φ３０のメダルが後方に倒れることが防がれ、当該φ３０のメダルが安定的に支えられる。さらに、当該φ３０のメダルの後面の半分近い領域に遊技者が触れることが可能となるので、当該φ３０のメダルをしっかりと把持することが可能となる。したがって、メダル投入口部に掛かったφ３０のメダルを容易に取り出すことができる
なお、ここで中心部の位置とは、具体的には、壁部の上端の上下方向における位置が、φ３０のメダルの上下方向における中心からおおよそ±１．５ｍｍ以内の範囲となっていることを意味する。
【発明の効果】
【００１２】
本発明の遊技機によれば、遊技に使用されるメダルよりも大径のメダルが投入された場合に、当該大径のメダルを容易に取り出すことができる。
【図面の簡単な説明】
【００１３】
【図１】本発明の実施の形態に係る遊技機の一例を示すもので、その斜視図である。
【図２】同、メダル投入ユニットを示すもので、左前側から分解斜視図である。
【図３】同、メダル投入部を示すもので、下側後方から見た斜視図である。
【図４】同、レール後部材とセンサユニットとを示すもので、前側から見た斜視図である。
【図５】同、レール後部材とセンサユニットとを示すもので、後側から見た斜視図である。
【図６】同、レール前部材を示すもので、後側から見た斜視図である。
【図７】同、メダル投入部とレール後部材とレール前部材とセンサユニットとを示すもので、下側前方から見た斜視図である。
【図８】同、レール後部材とレール前部材とセレクタとを示すもので、後側から見た斜視図である。
【図９】同、大径メダルがメダル投入口に掛かった状態を説明するためのもので、前側から見た斜視図である。
【図１０】同、大径メダルがメダル投入口に掛かった状態を説明するためのもので、側方から見た断面斜視図である。
【発明を実施するための形態】
【００１４】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１５】
本実施の形態のスロットマシンＸにおいては、遊技に使用可能な正規のメダルは、φ２５（直径約２５ｍｍ）、厚さ約１．６ｍｍのものとする。また、以下の説明において、単に「メダル」と言った場合には、基本的に正規のメダルを意味するものとする。また、他のスロットマシンにおける遊技において使用可能なメダルであって、本実施形態のスロットマシンＸに使用可能な正規のメダルよりも大径のメダルとしては、φ３０（直径約３０ｍｍ）のものを想定する。以下の説明において、「大径メダル」といった場合には、基本的にφ３０、厚さ約１．７ｍｍのメダルを意味するものとする。
なお、本発明において、正規のメダルおよび大径メダルは、それぞれ必ずしもφ２５、φ３０のメダルでなくてもよく、大径メダルが正規のメダルよりも大きいものであれば本発明を適用することが可能である。
【００１６】
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１７】
また、筐体１の正面には、筐体１の正面開口部を開閉可能に閉塞する前扉３が設けられている。
筐体１内には、図示は省略するが、リールユニットや基板ユニット等が設けられている。リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１８】
図１に示すように、前扉３の上部中央には、平板状のパネル４が設けられている。また、パネル４は、その中央部に形成された透明な表示窓５と、表示窓５を囲うように形成され、絵柄が描かれた（印刷された）意匠部６とを備えている。
【００１９】
表示窓５の奥には、前記３個の回転リールが横一列に設けられている。そして、表示窓５を通して回転リールの一部が視認可能となっている。各回転リールの外周面には複数種類の図柄が配列されており、回転リールが停止すると表示窓５を通して１リール当たり３個の図柄が表示される。そして、３個の回転リールが停止したときに表示窓５を通して表示される図柄の組み合わせによって当選役が入賞したか否かが表示される。
【００２０】
意匠部６の背面側には、照明用の光源（ＬＥＤ）が設けられており、この光源からの光によって意匠部６に描かれた絵柄が背後から照らされるようになっている。また、前扉３のパネル４の上部には、報知や演出などを行うための照明装置７が設けられている。また、前扉３の左右両端部には、報知や演出などを行うための照明装置８，８が設けられている。
【００２１】
また、前扉３は、筐体１にヒンジを介して回動可能に連結されることで、筐体１の開口部を開閉するようになっている。
なお、前扉３は、上側部分と下側部分とで分かれている等、複数の扉に分かれているものであってもよい。また、スロットマシンＸは、遊技店における機種の交換時に筐体１、前扉３の下側部分および筐体１内の電源ユニットやホッパーユニット等が遊技店の島設備に取り付けられたままで、前扉３の上側部分およびリールユニット等が交換可能ないわゆる分離型筐体タイプのものであってもよい。
【００２２】
また、前扉３の上下方向中央部には、スロットマシンＸを操作するための操作部１０が設けられている。操作部１０には、クレジットされたメダルを払い出すための精算スイッチ１１、遊技を開始させるためのスタートレバー１２、３個の回転リールそれぞれの回転を停止させるための３個のストップボタン１３、メダル（遊技媒体）を投入するためのメダル投入口４１、メダル投入口４１の下方で発生したメダル詰まりを解消するリジェクトボタン、１枚のメダルをゲームに投資するときに操作される１ベットボタン１５、最大数の３枚のメダルをベットするときに操作されるＭＡＸベットボタン１６（ベットボタン）等が設けられている。
【００２３】
ＭＡＸベットボタン１６は、上方を向くように配置されており、上方から下方に向かって押し込まれるように形成されている。ＭＡＸベットボタン１６を動作させるために必要な力（以下、操作力という）は、約１．０Ｎとなっている。また、ＭＡＸベットボタン１６は、押圧部と弾性部材とを備えている。押圧部は、遊技者の指等によって押し込み操作される部材であり、樹脂等で形成されている。また、押圧部は、弾性部材によって上方に付勢されている。弾性部材は、押圧部を付勢するとともに、押圧部が押し込み操作された場合には付勢力に抗して弾性変形するように形成されている部材であり、ばね等が用いられている。
また、ストップボタン１３は、前方を向くように配置されており、前方から後方に向かって押し込まれるように形成されている。ストップボタン１３の操作力は、約０．７Ｎとなっている。すなわち、ストップボタン１３の操作力は、ＭＡＸベットボタン１６の操作力よりも小さくなっている。
また、ストップボタン１３は、ＭＡＸベットボタン１６と同様に、押圧部と弾性部材とを備えており、ストップボタン１３は、弾性部材によって前方に付勢されている。
【００２４】
また、既述のとおり、ＭＡＸベットボタン１６の操作力は約１．０Ｎとなっている。すなわち、押圧部を押し込んで弾性部材を弾性変形させ、ＭＡＸベットボタン１６が備えるセンサからスイッチＯＮ信号（ボタンが押された旨の信号）が出力される位置まで押圧部を移動させるのに必要な荷重（センサ検知荷重）が約１．０Ｎとなっている。また、押圧部の初期位置（非操作時の位置）からＯＮ信号が出力される位置までの移動距離（ＯＮストローク）は、約１．０ｍｍとなっている。なお、本実施の形態の遊技機においては、センサには、フォトセンサが用いられているが、押圧部の押し込みを検知できるものであればその他のセンサを用いてもよい。フォトセンサは、例えば、押圧部の押し込みによって動く検出物体によって、発光素子から受光素子に向かう光が変化したことを検知すると、スイッチＯＮ信号を出力するようになっている。押圧部は、センサ検知荷重より大きな荷重が加えられると、弾性部材を弾性変形させながらさらに移動し、メカストッパーに当接して停止するようになっている。ＭＡＸベットボタン１６の押圧部の初期位置からメカストッパーに当接するまで（最大位置まで）の移動距離（フルストローク）は、約２．０ｍｍであり、ＯＮストロークの約２倍となっている。また、ＭＡＸベットボタン１６の押圧部を初期位置からメカストッパーに当接するまで（最大位置まで）移動させるために必要な荷重（最大荷重）は、約２．０Ｎであり、センサ検知荷重（操作力）の約２倍となっている。なお、ＭＡＸベットボタン１６のフルストロークを例えば約３．０ｍｍとし、ＯＮストロークを約１．５ｍｍとしてもよい。ただし、ＭＡＸベットボタン１６のフルストロークは、後述するストップボタン１３のフルストローク以上となっていることが好ましい。換言すると、ＭＡＸベットボタン１６の押圧方向における可動範囲は、ストップボタン１３の押圧方向における可動範囲以上となっていることが好ましい。
【００２５】
ストップボタン１３（操作力約０．７Ｎ）についても同様の構成となっている。また、ストップボタン１３のＯＮストロークは約１．０ｍｍであり、フルストロークはその約２倍の約２．０ｍｍとなっている。また、ストップボタン１３のセンサ検知荷重（操作力）は約０．７Ｎであり、最大荷重はその約２倍の約１．４Ｎとなっている。なお、ストップボタン１３のフルストロークは、ＭＡＸベットボタン１６のフルストロークが約３．０ｍｍである場合には、それ以下の例えば約３．０ｍｍとしてもよい。また、この場合にストップボタン１３のＯＮストロークは、ＭＡＸベットボタン１６のＯＮストローク以下の約１．５ｍｍとするとよい。
【００２６】
ここで、本実施の形態の遊技機における基本的な遊技の流れを説明する。遊技者がＭＡＸベットボタン１６を押下すると、クレジットされたメダルが投入（ベット）され、遊技を開始することが可能な状態となる。そして、遊技者が遊技を開始する操作としてスタートレバー１２を押下する操作を行うと、回転リールが回転を始め、回転リールの回転速度が所定の速度まで上昇するとストップボタン１３の押下操作が有効な状態となる。その後、遊技者が任意のタイミングでストップボタン１３を押下していくと、各回転リールが停止する。そして、すべての回転リールが停止すると、遊技の結果に応じて、メダルを払い出す処理や、メダルを新たに消費することなく再度遊技を開始可能な状態とする処理等が行なわれ、１回の遊技が終了する。
【００２７】
上記から明らかなように、ストップボタン１３は、遊技毎に回転リールの数に応じた複数個押下する必要がある。このとき、ストップボタン１３の操作力が、ＭＡＸベットボタン１６の操作力よりも小さく設定されていることにより、遊技者は、ストップボタン１３の操作に関して軽くて心地よい操作フィーリングを得ることができるとともに、テンポよくすべてのストップボタン１３を押下することが可能となる。したがって、遊技者は快適に遊技を行うことが可能となり、遊技性が向上する。また、このように使用頻度の高いストップボタン１３の操作力が小さく設定されていることにより、遊技者の疲労の蓄積が軽減され、遊技性が向上する。
【００２８】
また、ＭＡＸベットボタン１６は、遊技を開始するための操作に用いられることや、上から叩くようにして操作することが可能であることから、強い力で操作されることも多いが、ストップボタン１３よりも操作力が大きく設定されていることにより、遊技者は適度に押しごたえのある操作フィーリングを得ることができ、遊技性が向上する。
【００２９】
また、前扉３の下端部には、スロットマシン内部よりメダルを排出するためのメダル払い出し口と、メダル払い出し口から排出されたメダルを溜めておくためのメダル受け皿１８とが形成されている。また、操作部１０とメダル受け皿１８との間には遊技機の外観を装飾するための下パネル２０が設けられている。また、下パネル２０の背面側には、照明用の光源（ＬＥＤ）が設けられており、この光源からの光によって下パネル２０が背後から照らされるようになっている。
【００３０】
次に、前記メダル投入口４１（メダル投入口部）を備えるメダル投入ユニット３０について説明する。メダル投入ユニット３０は、図２に示すように、メダル投入部３１と、メダルを選別するセレクタ３３と、メダル投入部３１から投入されたメダルをセレクタ３３へ導くメダル通路３５と、センサユニット３７と、Ｒシュート３９と、を備えている。
メダルは、メダル投入部３１のメダル投入口４１から投入され、メダル通路３５を通過して、セレクタ３３に到達する。そして、セレクタ３３では、メダルの選別が行なわれる。具体的には、メダルが正規のメダルの場合には、このメダルはＲシュート３９に向けて流され、Ｒシュート３９を通ってホッパーユニットに到達する。一方、既定の大きさとは異なる大きさのメダル、例えば規定の大きさのメダルよりも小さいメダルや、不適切なタイミングで投入されたメダルは、非正規のメダルとして、前記メダル払い出し口からメダル受け皿１８に排出されるように導かれる。
【００３１】
メダル投入部３１は、メダル投入口４１と、メダル制止壁４２（壁部）と、メダルガイド部４３と、を備えており、金属（例えば、ステンレス鋼等）により一体的に成形されている。メダルガイド部４３は、メダルをメダル投入口４１に案内するための部分であり、メダル投入口４１に向かって前後に延びる断面円弧状の溝となっている。また、メダル制止壁４２は、メダルガイド部４３に沿って移動させたメダルを衝突させて、メダルの前後方向への動きを止め、メダルがメダル投入口４１から投入されるように案内するためのものであり、壁面をメダル投入口４１側に向けている。また、メダル制止壁４２は、メダルガイド部４３の後端からメダル１枚分の厚さよりも僅かに離れて配置されている。メダル投入口４１は、メダルガイド部４３と、メダル制止壁４２との間に形成された左右に長いスリット状の孔（孔部）である。そして、遊技者が、メダルガイド部４３に沿ってメダルをメダル制止壁４２側に移動させ、メダルがメダル制止壁４２に当接した状態でメダルを離すことで、メダルがメダル投入口４１から投入されるようになっている。このように、メダル制止壁４２は、遊技者によるメダル投入口４１へのメダルの投入動作を補助する。
【００３２】
メダル投入口４１は、平面視において矩形状となっており、短辺（前後方向）の長さ（奥行）が正規のメダル１枚分の厚さよりも僅かに長くなっているとともに、長辺（左右方向）の長さ（幅）が正規のメダルの直径よりも僅かに長くなっている。また、メダル投入口４１の短辺の長さは、正規のメダル２枚分の厚さよりも短くなっている。また、メダル投入口４１は、短辺の長さが、大径メダル１枚分の厚さよりも僅かに長くなっているとともに長辺の長さが大径メダル１枚分の直径よりも短くなっている。また、メダル投入口４１の短辺の長さは、大径メダル２枚分の厚さよりも短くなっている。換言すると、メダル投入口４１の幅は、正規のメダルの直径よりも長く、大径メダルの直径よりも短くなっている。具体的には、例えば、約２８ｍｍ〜２９ｍｍとなっている。
【００３３】
また、メダル制止壁４２は、メダル投入口４１から投入されたメダルをメダル通路３５へと導く投入口側メダル通路４５の後面を構成している（図３参照）。そして、メダル制止壁４２の壁面と投入口側メダル通路４５の後面とは面一となっている。また、メダル制止壁４２は、その上部がメダル投入口４１の後部から上方に延出している。また、メダル制止壁４２の上縁は、メダルガイド部４３よりも上方に位置しており、正面視において、メダルガイド部４３の後方にメダル制止壁４２の壁面が見えるようになっている。また、メダル制止壁４２の上面（上縁）は、左右方向において、メダル投入口４１の中央部に対応する部分が上方に凸となる山なり形状となっている。なお、メダル制止壁４２は、上面（上縁）が平ら（例えば水平面等の左右方向において平らな面）であってもよい。また、メダル制止壁４２の上面の左右方向における中央部が下方に向けて凹んだ形状等であってもよいが、この場合凹んだ部分以外の部分がメダル制止壁４２の上端となる。
なお、メダル制止壁４２の壁面と投入口側メダル通路４５の後面とは、面一となっていなくてもよく、例えば、メダル制止壁４２の壁面が投入口側メダル通路４５の後面よりも後方に位置するように形成されていてもよい。また、メダル制止壁４２と投入口側メダル通路４５の後面とが、別部材により形成されていてもよい
【００３４】
メダル投入口４１から投入されたメダルは、投入口側メダル通路４５を通過してメダル通路３５に至るようになっている。
なお、以下では、メダル通路３５や投入口側メダル通路４５等の、メダルが通過する通路について、その断面の長辺方向（メダルの径方向に対応する方向）の長さを「幅」といい、短辺方向（メダルの厚さ方向に対応する方向）の長さを「高さ」ということとする。また、メダルが通過する通路について、メダルの後面（メダル通路３５を通過するメダルにおける後側を向く面、以下同様）に対向する面を後面といい、メダルの前面（メダル通路３５を通過するメダルにおける前側を向く面、以下同様）に対向する面を前面といい、メダルの側面に対向する面（通路の前面と後面とをつなぐ面）を側面という。
【００３５】
投入口側メダル通路４５は、図３および図１０に示すように、上方から下方へ向かう直線状となっており、メダルが上方から下方へ向かって真っすぐ流下するようになっている。また、投入口側メダル通路４５は、上方の入口から下方の出口に向かって、幅が狭くなるとともに、高さが低くなっている。具体的には、投入口側メダル通路４５の入口は、メダル投入口４１に相当するので、その幅は前述の通り約２８ｍｍ〜２９ｍｍとなっている。また、投入口側メダル通路４５の出口の幅は、約２６ｍｍとなっている。なお、投入口側メダル通路４５は、入口から出口に向かって、ほぼ直線的に幅が狭くなるように形成されていてもよく、入口付近のみ幅が広がっており、他の部分は幅が約２６ｍｍで一定の直線状となっていてもよい。また、投入口側メダル通路４５の高さは、最も高い部分から最も低い部分までのどの部分においても大径メダル１枚分の厚さよりも長く、正規のメダル２枚分の厚さよりも短くなっている。
【００３６】
投入口側メダル通路４５の下部は、メダル投入部３１の下面から下方に突出する角筒状突出部４７によって形成されている。また、角筒状突出部４７の左前側および右後側にはそれぞれ、メダル投入部３１の下面から下方に突出するボス４８，４８が、設けられている。また、ボス４８，４８は、ネジ孔を有している。また、角筒状突出部４７の下端面の右前部分から下方に突出するようにして、矩形の板状の係止片４９が設けられている。
【００３７】
メダル通路３５は、レール後部材５０とレール前部材５１とにより形成されている（図２、図７、図１０参照）。レール後部材５０は、メダル通路３５の後面および両側面を構成している。また、レール前部材５１は、メダル通路３５の前面を構成している。
【００３８】
メダル通路３５は、入口が上方を向くとともに、出口が下方を向いた状態となっている。また、メダル通路３５は、図４に示すように、入口から入ってきたメダルを、下方に向かうにつれ左方に向かうように導く第一曲部３５ａと、第一曲部３５ａから出てきたメダルを左方に向かうにつれ下方に向かうように導く第二曲部３５ｂと、第二曲部３５ｂから出てきたメダルを下方に導く直線部３５ｃと、を備えている。そして、これによりメダル通路３５はクランク形状となっている。また、メダル通路３５の入口と出口とは、メダル通路３５の左右方向において、メダル１枚分以上ずれて配置されている。そして、メダル通路３５がクランク形状となっていることにより、メダル投入口４１からメダル通路３５の深部やセレクタ３３まで異物が挿入されゴト行為が行われることが防がれている。
【００３９】
レール前部材５１は、透明な合成樹脂により成形されている。レール前部材５１は、図６および図７に示すように、板状であり、正面視において、その外形がレール後部材５０の外形と略一致するようになっている。また、レール前部材５１の上端部左側には、前方に突出する突出部５５が設けられている。突出部５５は、前方から後方に向けて切り欠いた切欠き部を備えており、この切欠き部が、下方から上方に向けてネジを挿通させるネジ挿通部５５ａとなっている。また、レール前部材５１の上端部右側には、前方から後方に向けて断面矩形状に切り欠いた切欠き部５６が形成されている。また、レール前部材５１の下端部の左右両端部にはそれぞれ、ネジを挿通させるためのネジ挿通孔５７，５７および後方に向けて突出する突起部５８，５８が設けられている。また、レール前部材５１の背面は、平面状となっている。
【００４０】
レール後部材５０は、図４および図５に示すように、メダル通路３５の後面を形成する背板６０と、メダル通路３５の右側面を形成する右側壁６１と、メダル通路３５の左側面を形成する左側壁６２と、右側壁６１または左側壁６２の下端部から左右方向外側に突出するフランジ部６４，６４と、を備えている。また、レール後部材５０は、金属（例えば、ステンレス鋼等）により一体的に成形されている。背板６０は、板状であり、板面を前後方向に向けた状態となっている。また、背板６０は、正面視において、前述のメダル通路３５の形状（第一曲部３５ａ、第二曲部３５ｂ、直線部３５ｃ）に沿った形状となっている。また、右側壁６１および左側壁６２は、背板６０の右端縁または左端縁に沿って前方に突出するように形成されている。また、フランジ部６４，６４は、右側壁６１または左側壁６２の下端部と一体的に形成されている。また、フランジ部６４，６４の前面、右側壁６１の前端面および左側壁６２の前端面は、面一となっている。また、左右のフランジ部６４，６４それぞれには、ネジを挿通するためのネジ挿通孔６５，６５およびレール前部材５１の突起部５８が挿入される突起部挿入孔６６，６６が設けられている。
【００４１】
レール後部材５０とレール前部材５１とは、レール前部材５１の背面が、レール後部材５０のフランジ部６４，６４の前面、右側壁６１の前端面および左側壁６２の前端面と当接するとともに、突起部５８，５８が突起部挿入孔６６，６６に挿入された状態で、後述するネジ止めにより一体化されている。そして、レール後部材５０の背板６０と、右側壁６１と、左側壁６２と、レール前部材５１とに囲われた空間としてのメダル通路３５が形成されている。
【００４２】
また、背板６０の両側部には、前方に突出する凸部７０，７０がメダル通路３５の延在方向に沿って形成されている。そして、メダル通路３５を流下するメダルは、左右の凸部７０，７０両方に常に接触可能な状態でメダル通路３５を流下するようになっている。換言すると、メダル通路３５を流下するメダルは、左右の凸部７０，７０の間に形成された凹部には、接触しないようになっている。
【００４３】
また、レール後部材５０の背板６０には、左右に長い矩形状の開口８０が設けられている。また、レール後部材５０の背板６０の背面であって、開口８０の上方位置には、後方に突出するボス８４が設けられている。また、ボス８４は、ネジ孔を有している。また、背板６０の背面上端部の右側には、後方に突出する突出部８６が設けられている。突出部８６は、後方から前方に向けて切り欠いた切欠き部を備えており、この切欠き部が、下方から上方に向けてネジを挿通させるネジ挿通部８６ａとなっている。また、レール後部材５０の左側壁６２の上端部には、平面視Ｌ字状の係止部８８が、前方に突出して設けられている。
【００４４】
レール後部材５０およびレール前部材５１は、図７に示すように、レール後部材５０のネジ挿通部８６ａに挿通されたネジと、レール前部材５１のネジ挿通部５５ａに挿通されたネジとが、メダル投入部３１の２つのボス４８，４８それぞれのネジ孔にねじ込まれることにより、メダル投入部３１と一体化されている。また、レール後部材５０の係止部８８が、メダル投入部３１の角筒状突出部４７の側面に係止されるとともに、メダル投入部３１の係止片４９が、レール前部材５１の切欠き部５６に係止されることにより、メダル投入部３１に対するレール後部材５０およびレール前部材５１の位置決めがされている。また、レール後部材５０およびレール前部材５１の上端面は、メダル投入部３１の角筒状突出部４７の下端面に当接している。そして、これにより、投入口側メダル通路４５とメダル通路３５とが連通した状態となっている。
なお、レール後部材５０およびレール前部材５１の上端面と、メダル投入部３１の下端面とは、必ずしも当接している必要はなく、両端面の間に、所定の隙間が設けられ、両端面が近接した状態となっていてもよい。
【００４５】
投入口側メダル通路４５の出口からメダル制止壁４２の上端までの長さは、メダル１枚の直径（２５ｍｍ）よりも短くなっている。換言すると、メダル投入部３１に形成された投入口側メダル通路４５と他部材により形成されるメダル通路３５との境目からメダル制止壁４２の上端までの長さは、メダル１枚の直径よりも短くなっている。すなわち、本実施の形態の遊技機においては、メダル通路３５と投入口側メダル通路４５とのつなぎ目にメダルが引っかかることはないようにされているが、仮に当該つなぎ目にメダルが引っかかりうる構成であったとしても、当該つなぎ目にメダルが引っかかった場合に、メダルの上端がメダル制止壁４２の上縁よりも上側に位置し、遊技者がメダルの後面に触れることが可能となるようになっている。これにより、メダルが引っかかった場合に、メダルを掴んで容易に引き抜くことができるようになっている。
なお、メダル通路３５の後面または前面は、必ずしもメダル投入部３１と別部材によって形成されていなくてもよい。すなわち、例えば、レール後部材５０あるいは、レール前部材５１がメダル投入部３１と一体的に形成されており、これにカバー部材としてのレール前部材５１あるいはレール後部材５０を取り付けることでメダル通路３５が形成されるようになっていてもよい。また、メダル通路３５（レール後部材５０およびレール前部材５１）が存在せず、投入口側メダル通路４５が直接セレクタ３３に繋がっていてもよい。また、メダル投入部３１は、一体的に形成されていなくてもよい。例えば、投入口側メダル通路４５の後面およびメダル制止壁４２を構成する略板状の部材と、投入口側メダル通路４５の前面を構成する部材とによって構成されていてもよい。
【００４６】
センサユニット３７は、図４および図５に示すように、センサ１００と、可動片１１０（可動部材）とを備えている（図２参照）。センサ１００は、フォトインタラプタを主要素とする電子回路である。センサ１００は、可動片１１０の動作を検知し、検知信号を出力するようになっている。
【００４７】
可動片１１０は、メダルが接触するメダル接触部１１１を備えており、黒色の合成樹脂により成形されている。センサ１００は、レール後部材５０にネジ止めにより固定されており、開口８０から可動片１１０のメダル接触部１１１がメダル通路３５に突出するように、可動片１１０がバネ（弾性部材）により付勢されている。そして、可動片１１０は、メダル通路３５をメダル等が通る際に、メダル接触部１１１に接触する当該メダル等によって押下されるとともに、当該メダル等による押下が解除されると、バネの付勢力によってメダル接触部１１１がメダル通路３５に突出した状態に戻るようになっている。また、可動片１１０は、後方に突出する遮光板を備えており、可動片１１０が押下されると当該遮光板の動きをセンサ１００が検知し、可動片１１０が押下されたことを示す前記検知信号をセンサ１００が発するようになっている。
【００４８】
なお、センサ１００からの検知信号は、センサ１００に接続された配線を介して上述の基板ユニット（メイン制御基板）に送られるようになっている。そして、基板ユニットは、所定時間（例えば、１秒程度）連続して検知信号が送られてきた場合に、ゴト行為が行われているおそれがあると判断し、スピーカー等を介して音を発したりして異常を報知するようになっている。なお、センサユニット３７は、ゴト行為等の異常を検知するものではなく、例えば、メダル通路３５を通過するメダルの枚数をカウントするもの等であってもよい。また、センサ１００は、可動片１１０の動作を検知できるものであれば、フォトインタラプタ以外のセンサを用いてもよい。
【００４９】
レール後部材５０とレール前部材５１とセレクタ３３とは、図８に示すように、レール後部材５０のネジ挿通孔６５，６５およびレール前部材５１のネジ挿通孔５７，５７に挿通されたネジ１２８，１２８がセレクタ上部に設けられたネジ孔（図示せず）にねじ込まれることで、一体化されている。
【００５０】
セレクタ３３は、メダルを選別するメダル選別部１３０と、このメダル選別部１３０へとメダルを導くセレクタ側メダル通路１３１とを備えている。セレクタ側メダル通路１３１は、メダルが通過する通路である。セレクタ側メダル通路１３１は、高さ方向（メダルの厚さ方向）に湾曲した通路となっているが、入口部分のみ高さが僅かに高くなっており、入口部分を除く通路の略全体において高さが一定となっている。また、セレクタ側メダル通路１３１は、どの部分においても高さがメダル２枚分の厚さ未満となっている。また、セレクタ側メダル通路１３１の高さは、連通するメダル通路３５の高さよりも高くなっている。具体的には、メダル通路３５の高さが約２．３ｍｍなのに対し、セレクタ側メダル通路１３１の高さは、約３．１ｍｍとなっている。また、セレクタ側メダル通路１３１の幅は、どの部分においても、正規のメダルの直径よりも僅かに長い程度となっており、大径メダルの直径よりも短くなっている。換言するとセレクタ側メダル通路１３１は、大径メダルが流下不可能な幅となっている。すなわち、セレクタ３３は、大径メダルを選別して弾くことができないようになっている。
【００５１】
メダル選別部１３０は、メダル選別機構１４０と、このメダル選別機構１４０の後側に配置されたメダル排出部１４１とを備えている。メダル選別機構１４０は、既定のメダルであって、適切なタイミングで投入されたメダルを、メダル排出部１４１から落ちないように支持し、前記ホッパーユニットに向けて導くようになっている。一方、メダル選別機構１４０は、既定の大きさとは異なる大きさのメダルや、不適切なタイミングで投入されたメダル等の非正規のメダルを、メダル排出部１４１に向けて落とすようになっている。そして、メダル排出部１４１から落とされたメダルは、前記メダル払い出し口からメダル受け皿１８に排出されるようになっている。なお、このようにメダルを選別する機構は、従来のセレクタのものを用いればよい。
【００５２】
次に本実施の形態の遊技機において、メダル投入口４１にφ３０の大径メダルＭが投入された場合について図９および図１０を参照しながら説明する。なお、図１０は、図９のＡ−Ａ線断面図にレール後部材５０およびレール前部材５１を加えて示した図である。
メダル投入口４１の開口幅は、大径メダルＭの直径よりも短くなっているので、大径メダルＭは、メダル投入口４１に引っ掛かる。具体的には、大径メダルＭ側面の下側部分の左右両端（図９に点Ｐ、Ｑで示す部分）が、メダル投入口４１の縁（短辺）に当接することで、大径メダルＭがメダル投入口４１に引っ掛かるようになっている。換言すると、メダル投入口４１は、セレクタ３３で選別不可能なサイズのメダルが引っ掛かって、遊技機内部に流れないサイズに形成されている。
【００５３】
また、本実施形態の遊技機においては、メダル投入口４１に掛かった状態の大径メダルＭは、図９の点Ｐおよび点Ｑで示す部分の近傍において、その前面が投入口側メダル通路４５の前面に当接可能となっている。すなわち、大径メダルＭは、その側面が点Ｐおよび点Ｑにおいてメダル投入口４１部に当接するとともに、その前面が当該点Ｐおよび点Ｑの近傍においてメダル投入口４１部に当接可能となっている。換言すると、大径メダルＭは左右に離間した（メダルの面方向に離間した）２箇所において、その側面がメダル投入口４１部に当接するとともに、当該２箇所それぞれの近傍において（メダルの面方向に離間した２点において）その前面がメダル投入口４１部に当接した状態、あるいは近接し当接可能な状態となっている。さらに換言すると、大径メダルＭは、左右に離間した２箇所が、メダル投入口４１部の左右それぞれに離間して形成された上方視コ字状の切欠き部に挿入された状態となっている。また、当該２箇所は、そして、メダル投入口４１に掛かった大径メダルＭ２は、図１０に示すように、前方に倒れそうになった場合にその前面が点Ｐおよび点Ｑの近傍においてメダル投入口４１部（投入口側メダル通路４５の前面）に当接し、これにより大径メダルＭ２が前方に倒れることが防がれ、大径メダルＭ２は、前傾した状態でメダル投入口４１部に掛かった状態が維持されるようになっている。なお、メダル投入口４１部は、このように前傾した大径メダルＭ２の、前面における点Ｐおよび点Ｑの近傍部分以外の部分にも同時に当接し得るように形成されていてもよい。メダル投入口４１部は、大径メダルＭ２の前面の２箇所以上の部分が当接し得るように形成されていてもよい。また、メダル投入口４１部に当接する当該２箇所は、大径メダルＭ２の中心よりも下側部分の左右両端部となっている。
このように、メダル投入口４１部は、メダル投入口４１部に掛かった状態におけるφ３０のメダルの、前面における上下方向に交差（直交）する方向に離間した２箇所が当接し得るように形成されているが、当然、当該２箇所は上下方向に交差する方向に離間していれば、互いに上下方向にも離間していてもよい（上下方向にずれていてもよい）。また、当該２箇所は、互いに略水平（上下方向へのずれがφ３０のメダルの直径の１０％以内（３ｍｍ以内））な位置関係となっていてもよい。
【００５４】
また、大径メダルＭは、メダル投入口４１に掛かった状態において、その下端部がメダル投入口４１に挿入されており、大径メダルＭの前面の下端は、メダル投入口４１の前縁よりも下方に位置している。換言すると、大径メダルＭの前面の下端は、投入口側メダル通路４５の前面の上端縁よりも下方に位置しており、大径メダルＭの前面の下端部は、投入口側メダル通路４５の前面に覆われた状態となっている。具体的には、大径メダルＭの下端からメダル投入口４１の前縁（メダルガイド部４３）までの距離Ｔ１が、１．５ｍｍ以上となっており、大径メダルＭの前面の下端は、メダル投入口４１の前縁よりも１．５ｍｍ以上下方に位置している。そして、大径メダルＭの下端から１．５ｍｍの領域は、投入口側メダル通路４５の前面に覆われた状態となっている。
このように、大径メダルＭの下端部がメダル投入口４１に挿入されるようになっていることにより、メダル投入口４１に掛かった状態の大径メダルＭが倒れることが防がれ、当該大径メダルＭが安定的に支えられるようになっている。なお、上述の例ではＴ１は、１．５ｍｍ以上としたが、０．５ｍｍ以上、５．０ｍｍ以下であることが好ましい。
【００５５】
このように、メダル投入口４１に大径メダルＭの下端部が挿入されることで、大径メダルＭは起立した状態でメダル投入口４１に引っ掛かるようになっている。換言すると、大径メダルＭは、その両面を前後方向に向けた状態でメダル投入口４１に掛かるようになっている。また、このとき、大径メダルＭの後面は、メダル制止壁４２に近接または当接した状態となる。
【００５６】
また、図９に示すように、大径メダルＭは、メダル投入口４１に掛かった状態において、その前面の上下方向中心よりも下側の部分の一部がメダル投入口４１を形成する部材に覆われるようになっている。換言すると、メダルガイド部４３は、メダル投入口４１に掛かった大径メダルＭの上下方向中心よりも下方に位置するようになっている。そして、メダル投入口４１に掛かった大径メダルＭを正面から（大径メダルＭの面に垂直な方向から）見たときに、大径メダルＭは、その上下方向中心よりも下側の部分の一部が覆い隠され、上下方向中心よりも上側の部分は覆い隠されないようになっている。
【００５７】
また、メダルガイド部４３は、その後端部における曲率が、大径メダルＭの曲率以上となっている。したがって、下端部がメダル投入口４１に挿入された大径メダルＭは、前面側の下端部が、大径メダルＭの周方向に沿ってしっかりと支えられ、安定した状態でメダル投入口４１に引っ掛かるようになっている。
【００５８】
また、大径メダルＭは、メダル投入口４１に掛かった状態において、その下端が、投入口側メダル通路４５の下端よりも上方に位置するようになっている。すなわち、大径メダルＭの下端は、メダル投入部３１に形成された投入口側メダル通路４５と、これに続くメダル通路３５との境目（接続部）まで届かないようになっている。換言すると、メダル投入口４１および投入口側メダル通路４５（第一のメダル通路）は、メダル投入部３１（第一の部材）によって形成されており、メダル通路３５（第二のメダル通路）は、メダル投入部３１とは別体のレール後部材５０およびレール前部材５１（第二の部材）によって形成されており、メダル通路３５は、メダル投入口４１に掛かった大径メダルＭの下端が届かない位置に配置されている。さらに換言すると、メダル投入口４１に掛かった大径メダルの下端は、レール後部材５０およびレール前部材５１に当たらないようになっている。このように、大径メダルＭが、投入口側メダル通路４５を形成する第一の部材としてのメダル投入部３１とは別体の部材を含む１以上の部材によって形成されるメダル通路３５まで届かないようになっていることにより、大径メダルＭがメダル投入口４１に投入された際に、大径メダルＭがメダル通路３５を形成する部材に当たって浮いた状態となってしまうことが無く、確実にメダル投入口４１の縁に引っ掛かるようになる。したがって、誤ってあるいは故意に投入された大径メダルＭが安定的に支持されるため、大径メダルの取り出しが容易となる。
なお、前述のように、メダル通路３５は、その一部が投入口側メダル通路４５を形成する部材（メダル投入部３１）によって形成されていてもよい。すなわち、メダル通路３５は、投入口側メダル通路４５を形成する部材とは別体の部材のみによって形成されていなくてもよい。また、メダル通路３５（レール後部材５０およびレール前部材５１）が存在せず、投入口側メダル通路４５が直接セレクタ側メダル通路１３１に繋がっていてもよい。いずれにせよ、投入口側メダル通路４５を形成するメダル投入部３１とは別体の部材を含む１以上の部材によって形成され、投入口側メダル通路４５に続く第二のメダル通路（メダル通路３５または投入口側メダル通路４５）がある場合に、メダル投入口４１に掛かった大径メダルＭが、当該第二のメダル通路に届かないよう（第二のメダル通路を構成する部材に当たらないように）になっていることが好ましい。
【００５９】
また、大径メダルＭは、メダル投入口４１に掛かった状態において、その下端が、センサ１００や、セレクタ３３の備えるセンサ等のメダルを検知するセンサよりも上方に位置するようになっており、大径メダルＭがこれらのセンサまで届かないようになっている。したがって、大径メダルＭが誤って投入され、メダル投入口４１に掛かった際に、センサ１００が反応してしまいゴト行為が行われていると誤って判断してしまったり、メダルが投入されたと誤って判断してしまったりすることを防ぐことができる。
【００６０】
前述のように、メダル制止壁４２は、メダル投入口４１の後部から上方に延出している。したがって、大径メダルＭは、メダル投入口４１に掛かった状態において、その後面の少なくとも一部がメダル制止壁４２に覆われた状態となる。また、メダル制止壁４２の上端は、メダル投入口４１に掛かった状態の大径メダルＭの後面の中心（上下方向における中心：図９に一点鎖線Ｃで図示）よりも上方に位置するように形成されている。換言すると、本実施形態の遊技機においては、メダル制止壁４２は、大径メダルＭの後面の下端から１５ｍｍ以上の領域を覆うようになっている。このように、メダル制止壁４２の上端が、大径メダルＭの上下方向における中心よりも上方に位置するように形成されていることにより、大径メダルＭが後方に傾きそうになった場合に、当該大径メダルＭの上下方向中心よりも上方がメダル制止壁４２によって支えられるため、大径メダルＭが後方に倒れることが防がれ、大径メダルＭが安定的に支えられる。したがって、大径メダルＭの姿勢が安定し、大径メダルＭの取出しが容易となる。
なお、メダル制止壁４２の上端が、大径メダルＭの後面の中心よりも厳密に上方に位置するように形成されていなくてもよい。すなわち、例えば、メダル制止壁４２の上端の上下方向における位置が、大径メダルＭの上下方向における中心から±１．５ｍｍ以内の位置となるように形成されていてもよい。換言すると、メダル制止壁４２の上端の上下方向における位置が、大径メダルＭの上下方向における中心部の位置となるように形成されていてもよい。このような構成であっても、大径メダルＭの姿勢を安定させることができる。
【００６１】
また、メダル制止壁４２は、大径メダルＭがメダル投入口４１に掛かった状態において、メダル制止壁４２の上端が大径メダルＭの上端よりも下方に位置するように形成されている。これにより、当該状態において、遊技者が大径Ｍメダルの後面に触れることが可能となっている。換言すると、大径メダルＭは、メダル投入口４１に掛かった状態において、メダル制止壁４２の裏側から見た場合に、大径メダルＭの後面の一部が露出した状態となっている。このように、大径メダルＭの後面に触れることが可能となっていることにより、メダル投入口４１に掛かった大径メダルＭの前面と後面とに触れ、大径メダルＭをつまむことができ、容易に取り出すことができる。なお、大径メダルＭの後面に少しでも触れることが可能となっていれば、大径メダルＭをつまむことができるため、メダル制止壁４２の上端は、必ずしもメダル投入口４１に掛かった大径メダルＭの上端よりも下方に位置するように形成されていなくてもよい。しかし、メダル投入口４１に掛かった状態の大径メダルＭの上端の、メダル制止壁４２の上端からの突出量Ｔ２が、３ｍｍ以上となっていることが好ましく、６ｍｍ以上となっていることがさらに好ましい。このような構成によれば、大径メダルＭをつまむことが容易となり、より簡単に大径メダルＭを取り出すことができるようになる。
なお、大径メダルＭの上端とメダル制止壁４２の上端との左右方向における位置は、一致していなくてもよい。また、大径メダルＭの下端と、メダルガイド部４３の後端部における下端（溝の最底部）との左右方向における位置は、一致していなくてもよい。
【００６２】
また、メダル制止壁４１の後方には、メダル１枚の厚さ分（１．６ｍｍ）の奥行（前後方向の幅）を最低限有する空間が形成されている。すなわち、メダル制止壁４１とパネル４との間には、メダル１枚の厚さ分以上の間隔が設けられている。したがって、メダル投入口４１に掛かった大径メダルＭを前後からつまんで取り出すことが容易となる。なお、メダル制止壁４１とパネル４との間に、メダル３枚の厚さ分（４．８ｍｍ）以上の間隔が設けられていると、より好ましい。また、メダル制止壁４１の後方にメダル１枚の厚さ分の間隔を設けない場合であっても、メダル制止壁４１の前面とパネル４との間に、メダル２〜４枚の厚さ分（３．２〜６．４ｍｍ）以上の間隔を設けることが望ましい。
【符号の説明】
【００６３】
３０  メダル投入ユニット
３１  メダル投入部
４１  メダル投入口（メダル投入口部）
４２  メダル制止壁（壁部）
４３  メダルガイド部
４５  投入口側メダル通路
【図１】
2020130954.tif 000003
【図２】
2020130954.tif 000004
【図３】
2020130954.tif 000005
【図４】
2020130954.tif 000006
【図５】
2020130954.tif 000007
【図６】
2020130954.tif 000008
【図７】
2020130954.tif 000009
【図８】
2020130954.tif 000010
【図９】
2020130954.tif 000011
【図１０】
2020130954.tif 000012